(57)【要約】【課題】様々な観光スポットにできるだけ近づいて乗客のニーズに対応できるようにした大型客船クルーズに適した貨客船を提供する。【解決手段】貨客船本体に移動分離可能に格納され、貨客船１から分離移動して観覧スポットに近づく観覧手段として小型船艇２を設けた。【選択図】　図１
2004009865.tif 000002
【特許請求の範囲】
【請求項１】
貨客船本体に移動分離可能に格納され、貨客船から分離移動して観覧スポットに近づく観覧手段を備えていることを特徴とする貨客船。
【請求項２】
前記観覧手段が小型船艇または小型潜水艇であることを特徴とする請求項１記載の貨客船。
【請求項３】
貨客船本体上に移動可能に支持され、貨客船に支持されながら移動して観覧スポットに近づく観覧手段を備えてことを特徴とする貨客船。
【請求項４】
前記観覧手段がデッキと観光スポット近傍との間を昇降可能な客室空間であることを特徴とする請求項３記載の貨客船。
【発明の詳細な説明】
【０００１】
【発明の属する技術分野】
本発明は、大型客船等の貨客船に係り、特に、大型客船クルーズの多様化に対応するのに好適な技術に関する。
【０００２】
【従来の技術】
近年、大型客船クルーズに参加する乗客のニーズが多様化しており、たとえば（１）大型客船に伴走するイルカを水面近くで見たい、（２）氷河の傍までできるだけ近づきたい、（３）リーフ内の鑑賞魚を見たいなど、様々な観光スポットにできるだけ近づいて楽しみたいという要求がある。
このような乗客のニーズに対し、従来の貨客船には要求を満たせる適当な設備がなく、また、大型客船クルーズに使用する貨客船は主として外洋を長期間航行するものであるため喫水が深く、従って航行可能な海域も限られているので、寄港地でのオプショナルツアーに参加しているのが一般的である。
【０００３】
【発明が解決しようとする課題】
しかしながら、大型客船クルーズに参加する乗客のニーズが今後さらに多様化すると見込まれるため、大型客船等の貨客船側においても、各種の要求に対応して様々な観光スポットにできるだけ近づけるよう対策が望まれる。
【０００４】
本発明は、上記の事情に鑑みてなされたもので、様々な観光スポットにできるだけ近づいて乗客のニーズに対応できるようにした貨客船の提供を目的とするものである。
【０００５】
【課題を解決するための手段】
本発明は、上記課題を解決するため、以下の手段を採用した。
請求項１に記載の貨客船は、貨客船本体に移動分離可能に格納され、貨客船から分離移動して観覧スポットに近づく観覧手段を備えていることを特徴とするものである。
【０００６】
このような貨客船によれば、貨客船から分離移動して観覧スポットに近づく観覧手段を備えているので、貨客船の乗客は、貨客船では行けない観光スポットに観覧手段により近づいて楽しむことが可能になる。
【０００７】
この場合、前記観覧手段としては小型船艇または小型潜水艇が好ましく、これにより、小型船艇により水深の浅い観光スポットに近づいたり、あるいは、小型潜水艇により水中の観光スポットに近づいたりすることができる。
【０００８】
請求項３に記載の貨客船は、貨客船本体上に移動可能に支持され、貨客船に支持されながら移動して観覧スポットに近づく観覧手段を備えてことを特徴とするものである。
【０００９】
このような貨客船によれば、貨客船本体上に移動可能に支持され、貨客船に支持されながら移動して観覧スポットに近づく観覧手段を備えているので、貨客船の乗客は、貨客船から観覧手段により移動して観光スポットまで近づいて楽しむことができる。
【００１０】
この場合、前記観覧手段がデッキと観光スポット近傍との間を昇降可能な客室空間であることが好ましく、たとえば客室空間を水面近傍まで降下させてイルカを近くで見たり、あるいは、客室空間を気球で上昇させてより高所からの景色を楽しむことができる。
【００１１】
【発明の実施の形態】
以下、本発明に係る貨客船の一実施形態を図面に基づいて説明する。
図１に示す第１の実施形態において、図中の符号１は貨客船、２は小型船艇、３はウインチ、４は格納凹部である。
貨客船１は、たとえば世界一周クルーズなどに使用される大型客船であり、貨客船本体の適所に観覧手段の小型船艇２を備えている。図示の例では、船尾に設けた格納凹部４に不使用時の小型船艇２を格納してある。
【００１２】
格納凹部４に格納された小型船艇２は、図示省略の固定手段をもって固定されている。
また、格納凹部４の近傍にはウインチ３が設けられ、使用時には小型船艇２を海面まで安全に下ろし、あるいは、使用後には格納凹部４まで引き上げることができるようになっている。
【００１３】
ここで、観覧手段として貨客船１に装備されている小型船艇２について説明する。この小型船艇２は、たとえば大型の船舶では近づけない観光スポット、具体的には水深が浅く喫水の深い大型船では近づけないリーフまでクルーズの乗客を乗せて観光したり、あるいは、大型船では容易に近づけない氷河が海に流れ込む位置まで近づくのに使用する喫水の浅い小型船である。
【００１４】
以下、上述した小型船艇２を用いた観光スポットの観光について説明する。
クルーズ中の貨客船１は、たとえばリーフなど目的の観光スポット近傍で航行可能な位置まで航行して停泊する。この停泊位置では、リーフ内の鑑賞魚や珊瑚礁を観光したい乗船客を格納凹部４に固定された小型船艇２に乗せ、ウインチ３を使用して海面上に下ろす。
海面上に下ろした小型船艇２は、図２に示すように、貨客船１から離れて自由に航行することができる。しかも、小型で喫水が浅いため、リーフ内まで入り込んで自由に航行することができるので、貨客船１の乗船客は、貨客船１から直接観光スポットへ行って観光することが可能になる。すなわち、クルーズ中の貨客船１は、わざわざ寄港地からオプショナルツアーに参加する必要がなく、貨客船１によるクルーズを多様化してより魅力的にすることができる。
【００１５】
また、観光が終了した後には小型船艇２が貨客船１まで戻り、ウインチ３を使用して格納凹部４に引き上げられるので、乗船客は貨客船１へ容易に戻ることができる。
【００１６】
図３は図２の変形例を示しており、観覧手段として小型船艇２に代えて小型潜水艇２Ａが示されている。この小型潜水艇２Ａは、格納凹部４からウインチ３を用いて海面上に下ろされ、以後自由に貨客船１から離れて航行及び潜水航行することができる。
このような小型潜水艇２を観覧手段として採用すれば、貨客船１の乗船客は、スキューバダイビングやスキンダイビングをすることができなくても美しい海底の景色を実際に見て楽しむことができる。
【００１７】
続いて、本発明の第２の実施形態を図４に基づいて説明する。
この実施形態では、貨客船本体上に移動可能に支持され、貨客船１に支持されながら移動して観光スポットに近づく観覧手段として、デッキ１ａと観光スポット近傍との間を昇降可能な客室空間２Ｂを備えている。
この客室空間２Ｂは、貨客船本体に固定支持されたアーム５の先端部に取り付けられており、図示省略の駆動装置によりアーム５を揺動動作させることによって、デッキ１ａの通常位置から海面近傍の観光スポット位置まで降下させたり、反対に、海面近傍の観光スポット位置からデッキ１ａまで上昇させて戻すことができる。
【００１８】
上述したように、客室空間２Ｂを海面近傍まで降下させれば、この客室空間２Ｂ内の乗船客は、デッキ１ａと観光スポットとの間を容易に移動できるようになる。そして、海面近傍の観光スポット位置では、たとえば貨客船１と伴走するイルカの姿を間近で見ることが可能になるので、貨客船１にるクルーズはより魅力的なものとなる。
【００１９】
図５は図４の変形例を示しており、客室空間２Ｃは、ワイヤロープ６で貨客船１に支持された気球７に吊り下げられている。このため、客室空間２Ｃは、気球７の浮力によってデッキ１ａから上昇し、ワイヤ６の長さに規制される高さまで移動することができる。
こうして気球７及び客室空間２Ｃが貨客船１より高い観光スポットまで上昇すると、客室空間２Ｃ内の乗船客は、貨客船１よりもはるかに高い位置から周囲の景色を楽しむことができるので、貨客船１によるクルーズはより魅力的なものとなる。
なお、客室空間２Ｃをデッキ１ａに戻すには、ワイヤロープ６を巻き取りながら気球７を降下させればよい。
【００２０】
以上説明したように、本発明の貨客船１によれば、貨客船自体が観光スポットへ移動して近づくための観覧手段を備えているので、クルーズの寄港地からオプショナルツアーに参加して所望の観光スポットへ出向かなくても、貨客船１から直接移動して観光を楽しむことができる。
従って、貨客船１によるクルーズが乗船客の多様なニーズに応えられるようになり、集客能力の高いクルーズ船として商品価値が向上する。
【００２１】
なお、本発明の構成は上述した実施形態に限定されるものではなく、たとえば小型潜水艇を貨客船の船腹適所から出入りできるようにするなど、本発明の要旨を逸脱しない範囲内において適宜変更することができる。
【００２２】
【発明の効果】
本発明の貨客船によれば、貨客船自体に観覧手段を設けたので、貨客船から直接観光スポットへ近づいて観光を楽しむことが可能になる。このため、乗船客の多様なニーズに応えることができ、クルーズ船としての集客競争力が向上して商品価値の高い貨客船となる。
【図面の簡単な説明】
【図１】本発明に係る貨客船の第１の実施形態を示す斜視図で、（ａ）は観覧手段の小型船艇を格納した状態、（ｂ）は観覧手段の小型船艇を海面に下ろす状態である。
【図２】図１の小型船艇を海面に下ろして独自に移動可能な状態を示す図である。
【図３】図２の変形例を示す図で、小型潜水艇を海面に下ろして独自に移動可能な状態である。
【図４】本発明に係る貨客船の第２の実施形態を示す図である。
【図５】図４の変形例を示す図である。
【符号の説明】
１　　　　　貨客船
１ａ　　　　デッキ
２　　　　　小型船艇（観覧手段）
２Ａ　　　　小型潜水艇（観覧手段）
２Ｂ，２Ｃ　客室空間（観覧手段）
３　　　　　ウインチ
４　　　　　格納凹部
５　　　　　アーム
６　　　　　ワイヤロープ
７　　　　　気球
【図１】
2004009865.tif 000003
【図２】
2004009865.tif 000004
【図３】
2004009865.tif 000005
【図４】
2004009865.tif 000006
【図５】
2004009865.tif 000007